(57)【要約】【課題】  横たおれの状態において、ユーザーによってその逆立ち角度を制御でき、そして、脚部や足部が気楽に放置できる逆立ち機械を提供する。【解決手段】  主として、ベースフレームに昇降セットと支柱が設けられ、当該昇降セットは、昇降モータと昇降レバーからなり、昇降セットとリモコンとが互いに挿入して接続され、昇降セットの昇降レバーの一端と支柱は、それぞれ、メインロッドに軸支され、当該メインロッドの一端に、やや湾曲状である脚放置レバーが嵌合され、脚放置レバーの上に、膝放置パッドが設置され、脚放置レバーの先端に、足や足首がフックするためのフック座が係合され、当該足首放置パッドとフック座が固設され、足部フックパッドが、フック座と互い軸支され、また、メインロッド上に、それぞれ、横たおれパッドとグリップが設けられている。【選択図】図１
0003115423.tif 000002
【実用新案登録請求の範囲】
【請求項１】
主として、ベースフレームに昇降セットと支柱が設けられ、当該昇降セットが、昇降モータと昇降レバーからなり、昇降セットの昇降レバーの一端と支柱が、それぞれ、メインロッドに軸支され、当該メインロッドの一端に脚放置レバーが嵌合され、脚放置レバーの上に、膝放置パッドが設置され、脚放置レバーの先端に、足や足首がフックするためのフック座が係合され、また、メインロッドの上に、それぞれ、横たおれパッドとグリップが固設される、ことを特徴とする逆立ち機械。
【請求項２】
当該脚放置レバーは、湾曲状である、ことを特徴とする請求項１に記載の逆立ち機械。
【請求項３】
当該足首放置パッドとフック座とが固設され、足部フックパッドとフック座とが互いに軸支される、ことを特徴とする請求項１に記載の逆立ち機械。
【考案の詳細な説明】
【技術分野】
【０００１】
本考案は、逆立ち機械を関し、特に、横たおれの状態において、ユーザーによってその逆立ち角度を制御でき、そして、脚部や足部が気楽に放置できる逆立ち機械に関する。
【背景技術】
【０００２】
逆立ち機械の作用は、人体を逆立ちにして血液の循環を加速するボディービル器具であり、従来の逆立ち機械は、スタンドの状態において、その逆立ち角度を制御し、脚部と足部とが拘束や係止されることにより固定され、逆立ちを行う時、その逆立ちのストロークが大きいため、ユーザーにおいて恐怖感が発生するため、ユーザーの体の各部位の筋肉が、緊張になり、ユーザーがスタンド状態で、そして、脚部と足部が拘束や係止により固定されて、その固定の効果が悪いため、ユーザーの脚部と足部は、逆立ちの全体の過程において、常に直立状態に維持し、また、逆立ちする時、脚部と足部が湾曲できないためより不快適になり、そして、人体工学に符合しないことだけでなく、ユーザーにとって、恐怖感を増大することを来す。
【考案の開示】
【考案が解決しようとする課題】
【０００３】
本考案は、逆立ち機械を提供し、特に、横たおれの状態において、ユーザーによってその逆立ち角度を制御でき、そして、脚部や足部が気楽に放置できる逆立ち機械を提供する。
【課題を解決するための手段】
【０００４】
本考案の主な目的は、普通、当該横たおれパッドが水平状態であり、ユーザーが、横たおれパッドの上に横たおった後、リモコンにより昇降セットの昇降モータを駆動して昇降レバーを上へ押し、これにより、ユーザーが逆立ち状態になり、ユーザーが逆立ち機械を使用する時、横たおる状態であるため、逆立ちのストロークや範囲を縮小でき、やや湾曲状である脚放置レバーとフック座により、ユーザーの脚と足部が、自然的に且つ気楽的に放置されてフックすることにより、電力の節約ができることだけでなく、人間工学に符合して、ユーザーにとって逆立ちに対する恐怖感を消去できるため、ユーザーの不快感が解消される、逆立ち機械を提供する。
【考案を実施するための最良の形態】
【０００５】
まず、図１と図２は、本考案の立体分解図と立体組立て図であり、図から分かるように、本考案は、逆立ち機械であり、主として、ベースフレーム１上にそれぞれ昇降セット３と支柱４が固設され、当該昇降セット３は、昇降モータ３１と昇降レバー３２からなり、昇降セット３の昇降レバー３２の一端とメインロッド２とが互いに軸支され、昇降セット３とリモコン９とが互いに挿入して接続され、リモコン９により、制御され、また、ベースフレーム１上の支柱４もメインロッド２と互いに軸支され、横たおれパッド７において支点が形成され、また、メインロッド２の一端がやや湾曲状である脚放置レバー５に嵌合され、また、脚放置レバー５上に膝を放置するための膝放置パッド５１が固設され、また、脚放置レバー５の先端に、足や足首がフックするためのフック座６が係合され、また、当該足首放置パッド６１がフック架６の下方に設けられて、フック座６と固設され、また、足部フックパッド６２がフック座６の上方に設けられて、フック座６に軸支され、また、当該メインロッド２上に、それぞれ、横たおるための横たおれパッド７とグリップするためのグリップ８が設けられている。
【０００６】
また、図３や図４、図５及び図６は、本考案を使用する時の動作概念の断面図及び角度変化状況の概念図であり、図から分かるように、逆立ち機械を使用する時、ユーザーが、横たおれパッド７の上に横たおれ、ユーザーが足部によりフック座６の足部フックパッド６２を上へ押すと、足部が足部フックパッド６２と足首放置パッド６１の間に放置され、また、足部フックパッド６２が自然的に足部を押さえ、そして、リモコン９により昇降セット３の昇降モータ３１を駆動して、昇降レバー３２により横たおれパッド７を上へ押し、これにより、ユーザーが頭が下へ脚が上への逆立ち状態になり、ユーザーが逆立ち機械を使用する時、横たおれ状態であるため、逆立ちのストロークや範囲を縮小でき、これにより、電力の節約が出来ることだけでなく、人間工学に符合して、ユーザーにとって逆立ちに対する恐怖感を消去できるため、大幅にユーザーの不快感が解消され、また、やや湾曲状である脚放置レバー５とフック座６により、ユーザーの脚と足部が、自然的に且つ気楽的に放置されてフックすることにより、ユーザーにとって、逆立ちの過程において、足部が外れることが無いため、脚部と足部の位置付けが極めて容易且つ確実になり、また、ユーザーの脚や足部が、自然的に且つ気楽的に放置されてフックすることができるから、不快感が大幅に低減される。
【図面の簡単な説明】
【０００７】
【図１】本考案の立体分解図
【図２】本考案の立体組立て図
【図３】本考案の動作概念の断面図
【図４】本考案の他の動作概念の断面図
【図５】本考案の更の動作概念の断面図
【図６】本考案の角度変化状況の概念図
【符号の説明】
【０００８】
1             ベースフレーム
2             メインロッド
3             昇降セット
31            昇降モータ
32            昇降レバー
4             支柱
5             脚放置レバー
51            膝放置パッド
6             フック座
61            足首放置パッド
62            足部フックパッド
7             横たおれパッド
8、8’        グリップ
9             リモコン
【図１】
0003115423.tif 000003
【図２】
0003115423.tif 000004
【図３】
0003115423.tif 000005
【図４】
0003115423.tif 000006
【図５】
0003115423.tif 000007
【図６】
0003115423.tif 000008